(57)【要約】【課題】ファンモーターがロックされている状態で、リセット電流を低下できる制御回路を含み、効果的にその使用寿命を延ばす熱放散装置を提供する。【解決手段】本発明の熱放散装置は、ファンモーター３１と、ファンモーター３１に接続され、ファンモーター３１を駆動する駆動回路３２と、および入力端子と出力端子を有し、前記駆動回路３２に接続されるリセット電流制御回路３６と、を含む。そして、ファンモーター３１がロックされている状態の時、リセット電流制御回路３６の入力端子が警報信号を受け取ると、リセット電流制御回路３６の出力端子は、ファンモーター３１が低速で回転する時の基準電圧より高い電圧信号を駆動回路３２に出力し、ファンモーター３１のリセット電流を低下させる。【選択図】図３Ａ
2006280196.tif 000002
【特許請求の範囲】
【請求項１】
ファンモーターと、
前記ファンモーターに接続され、前記ファンモーターを駆動する駆動回路と、
入力端子と出力端子を有し、前記駆動回路に接続されるリセット電流制御回路と、を含み、
前記ファンモーターがロックされている時、前記リセット電流制御回路の入力端子が警報信号を受け取ると、前記リセット電流制御回路の出力端子は、前記ファンモーターが低速で回転する時の基準電圧より高い電圧信号を出力して、前記ファンモーターのリセット電流を低下させる熱放散装置。
【請求項２】
前記駆動回路は、駆動チップと、速度設定装置と、レベルコンパレータと、を含み、前記速度設定装置は、前記ファンモーターの最低回転速度を設定し、前記レベルコンパレータは、第一基準電圧と第二基準電圧を設定し、前記駆動回路に出力した前記電圧信号が前記第一基準電圧より高い時、前記ファンモーターは、低回転速度を有し、前記電圧信号が前記第二基準電圧より低い時、前記ファンモーターは、高回転速度を有し、且つ、この時のリセット信号は、低回転速度のリセット信号より大きく、且つ、前記電圧信号が前記第一基準電圧と前記第二基準電圧の間に位置する時、前記ファンモーターは、可変回転速度になる請求項１に記載の熱放散装置。
【請求項３】
パルス幅変調信号を受け取り、前記パルス幅変調信号を前記電圧信号に変換し、前記駆動回路に出力するデジタル／アナログ変換器ユニットと、
前記デジタル／アナログ変換器ユニットに接続され、前記ファンモーターがロックされている時に警報信号を受け取るスイッチユニットと、を含み、
前記スイッチユニットは、前記警告信号に基づいてオンし、前記駆動回路に出力する前記電圧信号を上昇させるために、制御信号を前記デジタル／アナログ変換器ユニットに出力し、それにより前記ファンモーターを低回転速度状態に変調し、リセット電流を低下させる請求項１に記載の熱放散装置。
【請求項４】
前記デジタルアナログ変換ユニットは、スイッチ素子と、ダイオードと、コンデンサと、複数の抵抗器と、から構成される請求項３に記載の熱放散装置。
【請求項５】
前記スイッチ素子は、トランジスタ，またはトランジスタと同じ機能を有する素子からなることができる請求項４に記載の熱放散装置。
【請求項６】
前記スイッチユニットは、スイッチ素子と複数の抵抗器から構成される請求項３に記載の熱放散装置。
【請求項７】
前記スイッチ素子は、トランジスタ，またはトランジスタと同じ機能を有する素子からなることができる請求項６に記載の熱放散装置。
【請求項８】
温度変調信号を受け取り、前記温度変調信号を前記電圧信号に変換して、前記駆動回路に出力する温度制御ユニットと、
前記温度制御ユニットに接続され、前記ファンモーターがロックされているときに警報信号を受け取るスイッチユニットと、を含み、
前記スイッチユニットは、前記警告信号に基づいてオンし、前記電圧信号を上昇させるために、前記駆動回路に制御信号を出力し、これにより前記ファンモーターを低回転速度状態に変調し、リセット電流を低下させる請求項１に記載の熱放散装置。
【請求項９】
前記温度制御ユニットは、サーミスタと抵抗器から構成される請求項８に記載の熱放散装置。
【請求項１０】
前記サーミスタは、負温度係数のサーミスタである請求項９に記載の熱放散装置。
【請求項１１】
前記スイッチユニットは、スイッチ素子と複数の抵抗器から構成される請求項８に記載の熱放散装置。
【請求項１２】
前記スイッチ素子は、トランジスタ，またはトランジスタと同じ機能を有する素子からなることができる請求項１１に記載の熱放散装置。
【発明の詳細な説明】
【技術分野】
【０００１】
本発明は、熱放散装置に関し、特に、ファンモーター，駆動回路，およびリセット電流制御回路を含み、前記ファンモーターがロックされている時、前記リセット電流制御回路によってファンモーターのリセット電流を低下できる熱放散装置に関するものである。
【背景技術】
【０００２】
現在の情報社会では、大量の電子データの伝達と処理が人類の生活を豊富にし、知識と情報の迅速な交換は、科学技術の発展の速度を加速した。ノート型パソコンで言えば、大量のデータ伝送を処理する時、ＣＰＵが大量のデータ処理により過度の熱を発生する。よって、ノート型パソコンは、電力消費量が低く、熱放散機能が優れた熱放散装置によって熱放散の問題を解決しなければならない。こうしたノード型パソコンに熱放散装置を搭載した構成は、例えば特許文献１などで知られている。
【０００３】
図１Ａと図１Ｂを参照すると、図１Ａは、ＣＰＵに熱放散プロセス（処理）を行う時の従来の熱放散装置のブロック図である。図１Ｂは、図１Ａにおけるパルス幅変調（ＰＷＭ）信号のデューティーサイクルとファンモーターの回転速度との関係を示す特性曲線図である。図１Ａに示すように、前記熱放散装置１０は、ファンモーター１２と、前記ファンモーター１２に接続された駆動回路１４と、前記駆動回路１４に接続されたデジタル／アナログ（Ｄ／Ａ）変換器１６と、を含む。前記熱放散装置１０がＣＰＵ１８に熱放散プロセスを行う時、まず、パルス幅変調信号を前記熱放散装置１０に入力する。前記デジタル／アナログ変換器１６がパルス幅変調信号を受け取った後、それをデジタル電圧信号からアナログ電圧信号に変換する。続いて、前記駆動回路１４は、この電圧信号に基づいて回転信号を送り、前記ファンモーター１２が回転する時の回転速度を制御する。前記ファンモーター１２は、この回転信号を受け取った後、ＣＰＵ１８に熱放散プロセスを行う。図１Ｂに示すように、前記ＣＰＵ１８の熱量が増えた時、前記熱放散装置１０に入力されたパルス幅変調信号のデューティーサイクルも次第に増加する。よって、前記駆動回路１４から出力された回転信号の電圧値が低下し、回転信号の電流値は徐々に増えて、ファンモーター１２の回転速度を持続的に増加させる。
【０００４】
一般的に、前記ファンモーター１２がある回転速度でロックされた時、入力されたパルス幅変調信号のデューティーサイクルが大きければ、前記ファンモーター１２が必要なリセット電流も大きい。例えば、前記ファンモーター１２が１５００ｒｐｍの低回転速度の時、入力されたパルス幅変調信号のデューティーサイクルは０％であり、この時、ロックされた状態の前記ファンモーター１２が必要なリセット電流は、０．２Ａである。前記ファンモーター１２の回転速度が２５００ｒｐｍの時、入力されたパルス幅変調信号のデューティーサイクルは５０％であり、この時、ロックされた状態の前記ファンモーター１２が必要なリセット電流は、０．３Ａまで大きくなる。前記ファンモーター１２の回転速度が３５００ｒｐｍに増えた時、入力されたパルス幅変調信号のデューティーサイクルは、１００％に増え、この時、ロックされた状態の前記ファンモーター１２が必要なリセット電流は、０．５Ａまで大きくなる。
【０００５】
上述の状況では、前記ＣＰＵ１８は良好な熱放散の効果を効果的に達成することができるが、前記駆動回路１４と前記ファンモーター１２が必要なリセット電流もそれに伴って増え、前記駆動回路１４から発生される熱量の増加を招き、前記ファンモーター１２のコイルの温度を上げる。よって、熱放散装置１０の使用寿命に深刻な影響を与え、ひいては熱放散装置１０の破損を招く。
【０００６】
図２Ａと図２Ｂを参照すると、図２Ａは、ＣＰＵに熱放散プロセスを行う時の別な従来の熱放散装置のブロック図である。図２Ｂは、図２Ａにおける温度制御回路によって検出された温度とファンモーターの回転速度との関係を示す特性曲線図である。図２Ａに示すように、前記熱放散装置２０は、ファンモーター２２と、前記ファンモーター２２に接続された駆動回路２４と、前記駆動回路２４に接続され、前記ＣＰＵ１８の周囲温度を検出する温度制御回路２６と、を含む。前記熱放散装置２０がＣＰＵ１８に熱放散プロセスを行う時、まず、前記温度制御回路２６は、前記ＣＰＵ１８の周囲温度を検出し、その周囲温度の検出値に基づいて電圧信号を前記駆動回路２４に送る。続いて、前記駆動回路２４は、この電圧信号に基づいて回転信号を送り、前記ファンモーター２２が回転する時の回転速度を制御する。図２Ｂに示すように、前記ＣＰＵ１８の熱量が増えた時、前記温度制御回路２６によって検出された前記ＣＰＵ１８の周囲温度は、次第に上がる。よって、前記駆動回路２４から出力された回転信号の電圧値が低下し、回転信号の電流値は徐々に増えて、ファンモーター２２の回転速度を上限まで連続的に増加させる。
【０００７】
一般的に、温度制御の原理を用いたファンモーター２２がある回転速度でロックされた場合、前記温度制御回路２６によって検出された前記ＣＰＵ１８の周囲温度が第一既定値より低い時、前記ファンモーター２２の回転速度は、最低回転速度（半速）を維持する。この時、前記ファンモーター２２が必要なリセット電流は最小である。また、前記温度制御回路２６によって検出された前記ＣＰＵ１８の周囲温度が第二既定値より高い時、前記ファンモーター２２の回転速度は、既定の最高回転速度（全速）を維持する。この時、前記ファンモーター２２が必要なリセット電流は最大である。
【０００８】
例えば、前記ＣＰＵ１８の処理データ量が比較的少ない時、そこから放散される熱量も比較的少なく、前記温度制御回路２６によって検出された温度値も対応して低い。この状態で、前記ファンモーター２２がロックされる場合、前記温度制御回路２６が前記駆動回路２４に出力した電圧値は、最大（例えば５Ｖ）であり、前記駆動回路２４が前記ファンモーター２２に出力した電流値は最小（例えば０．２Ａ）である。前記電流値は、前記ファンモーター２２が必要なリセット電流である。この時、前記ファンモーター２２の回転速度は、１５００ｒｐｍである。前記ＣＰＵ１８の処理データ量が増えた時、前記温度制御回路２６によって検出された周囲温度も対応して上昇する。この時、前記温度制御回路２６が前記駆動回路２４に出力した電圧値は、上昇した周囲温度に伴なって下降し、前記ファンモーター２２の回転速度は、１５００ｒｐｍのままであり、前記ファンモーター２２のリセット電流は、０．２Ａのままである。前記温度制御回路２６によって検出された周囲温度が２０℃〜４０℃の間にあり、且つ、前記ファンモーター２２がこの状態でロックされる時、前記温度制御回路２６が前記駆動回路２４に出力する電圧値は、３Ｖ〜１Ｖの区間で変動する。この時、ロック状態での前記ファンモーター２２のリセット電流は、０．２Ａ〜０．５Ａの区間で変動し、それにより前記ファンモーター２２の回転速度が１５００ｒｐｍ〜３５００ｒｐｍの間になる。前記ＣＰＵ１８の処理データ量が非常に大きい時、前記温度制御回路２６によって検出された周囲温度は４０℃より大きくなる。前記ファンモーター２２がこの状態でロックされる時、前記温度制御回路２６が前記駆動回路２４に出力した電圧値は、１Ｖ以下に下降する。この時、ロック状態での前記ファンモーター２２のリセット電流は、０．５Ａを維持する。即ち、前記ファンモーター２２の回転速度は、３５００ｒｐｍのフル回転速度を維持したままである。
【０００９】
上述の状況では、前記熱放散装置２０は、前記ＣＰＵ１８に良好な熱放散の効果を達成させることができるが、前記温度制御回路２６によって検出された周囲温度の上昇に伴って、前記駆動回路１４が前記ファンモーター１２に出力したリセット電流も増える。よって、これも前記駆動回路１４から発生される熱量の増加を招き、前記ファンモーター１２のコイルの温度を上げ、熱放散装置２０の使用寿命に深刻な影響を与える。
【特許文献１】特開平８−２６３１６２号公報
【発明の開示】
【発明が解決しようとする課題】
【００１０】
よって、上述の問題を解決するために、本発明は、前記ファンモーターがロックされている状態で、リセット電流を低下できる制御回路を含み、効果的にその使用寿命を延ばす熱放散装置を提供する。
【課題を解決するための手段】
【００１１】
本発明の一実施例に基づいて、ファンモーターと、駆動回路と、リセット電流制御回路と、から構成される熱放散装置を提供する。前記駆動回路は、前記ファンモーターと前記リセット電流制御回路の間に接続され、前記ファンモーターを駆動する。前記リセット電流制御回路は、スイッチユニットと、デジタル／アナログ変換器ユニットと、を含む。前記リセット電流制御回路は、前記ファンモーターがロックされている時、警報信号を前記スイッチユニットに入力し、前記スイッチユニットをオンにして、制御信号を前記デジタル／アナログ変換器ユニットに出力し、前記駆動回路に入力した電圧信号を低速回転の基準電圧より高くする。この時、ロックされた状態の前記ファンモーターのリセット電流は、低回転速度時の公称値のままであり、前記駆動回路とファンモーターから発生される熱量が増加されず、よって、前記熱放散装置の使用寿命を効果的に保護することができる。
【００１２】
本発明のもう一つの実施例に基づいて、スイッチユニットと、温度制御ユニットと、を含むリセット電流制御回路の熱放散装置を提供する。前記ファンモーターがロックされる時、警報信号を前記スイッチユニットに入力し、前記スイッチユニットをオンにして、制御信号を前記温度制御ユニットに出力し、よって、前記駆動回路に入力した電圧信号を低速回転の基準電圧より高くする。この時、ロックされた状態の前記ファンモーターのリセット電流は、低回転速度の公称値のままであり、前記駆動回路とファンモーターから発生される熱量が増加されず、よって、前記熱放散装置の使用寿命を効果的に保護することができる。
【発明の効果】
【００１３】
本発明の熱放散装置によれば、前記駆動回路とファンモーターから発生される熱量が増加されず、よって、前記熱放散装置の使用寿命を効果的に保護することができる。
【発明を実施するための最良の形態】
【００１４】
本発明についての目的，特徴，長所が一層明確に理解されるよう、以下に実施形態を例示し、図面を参照にしながら、詳細に説明する。
【実施例】
【００１５】
図３Ａを参照すると、本実施例では、リセット電流低減回路であるリセット電流制御回路３６と、駆動回路３２と、ファンモーター３１と、を含む熱放散装置３０を提供する。前記駆動回路３２は、前記リセット電流制御回路３６と前記ファンモーター３１の間に接続される。
【００１６】
本実施例では、前記リセット電流制御回路３６は、デジタル／アナログ（Ｄ／Ａ）変換器ユニット３７とスイッチユニット３８を含む。前記デジタル／アナログ変換器ユニット３７は、パルス幅変調（ＰＷＭ）信号を受け取り、前記パルス幅変調信号を電圧信号に変換して、前記駆動回路３２に出力する。前記スイッチユニット３８は、前記デジタル／アナログ変換器ユニット３７に接続され、入力端子と出力端子を有する。前記入力端子は、前記ファンモーターがロックされている時に、入力した警報信号を受け取ることができる。前記スイッチユニット３８は、前記警告信号に基づいてオンし、次にその出力端子から前記デジタル／アナログ変換器ユニット３７に制御信号を出力し、これに基づいて前記駆動回路３２に出力する電圧信号を上昇させる。
【００１７】
図３Ｂを参照すると、図に示すように、前記駆動回路３２は、主に駆動チップ３３と、速度レベル設定装置たる速度設定装置３４と、レベルコンパレータ３５と、から構成される。前記速度設定装置３４は、前記ファンモーター３１の最低回転速度（例えば図１Ｂ、図２Ｂに示された１５００ｒｐｍ）を設定する。前記レベルコンパレータ３５は、第一基準電圧Ｖｒｅｆ１と第二基準電圧Ｖｒｅｆ２を設定する。図５を参照すると、第一基準電圧Ｖｒｅｆ１は、第二基準電圧Ｖｒｅｆ２より大きい。注意するのは、前記デジタル／アナログ変換器ユニット３７から駆動回路３２に出力した電圧信号が第二基準電圧Ｖｒｅｆ２より低い時、前記ファンモーター３１は、フル回転速度（高回転速度）状態にあり、前記電圧信号が第一基準電圧Ｖｒｅｆ１と第二基準電圧Ｖｒｅｆ２の間にある時、前記ファンモーター３１は、回転速度が可変する状態すなわち可変回転速度を有し、電圧信号が第一基準電圧Ｖｒｅｆ１より高い時、前記ファンモーター３１は、半回転速度（低回転速度）状態にある。この駆動回路３２内の電圧と回転速度の状態の対応する特徴は、2003年10月30日に出願された米国特許公開第20050019168号公報「ファンモーターの回転速度制御回路」に挙げられており、よって、ここでは技術内容上の説明を省く。
【００１８】
本実施例では、前記デジタル／アナログ変換器ユニット３７は、主にスイッチ素子ＳＷ１と、ダイオードＤ１と、コンデンサＣ１と、複数の抵抗器Ｒ１〜Ｒ５と、から構成される。前記スイッチユニット３８は、スイッチ素子ＳＷ２と複数の抵抗器Ｒ６〜Ｒ８から構成される。
【００１９】
上述のスイッチ素子ＳＷ１とＳＷ２は、トランジスタ，またはトランジスタと同じ機能を有する素子により実施可能である。
【００２０】
本実施例の動作原理を以下説明する。ファンモーター３１が正常な状態で動作する時、前記スイッチユニット３８は、どんな信号も受けず、よって、前記スイッチユニット３８のスイッチ素子ＳＷ２は、オフ状態のままであり、前記デジタル／アナログ変換器ユニット３７に影響を与えることはない。よって、前記デジタル／アナログ変換器ユニット３７は、持続的にパルス幅変調信号を電圧信号に変換して、これを前記駆動回路３２に出力し、ファンモーター３１を正常に運転させ続けることができる。
【００２１】
前記ファンモーター３１がロックされた状態の時だけ、ファンモーター３１は警報信号ＲＤを前記スイッチユニット３８にフィードバックし、前記スイッチユニット３８のスイッチ素子ＳＷ２をオン状態にする。これにより、前記デジタル／アナログ変換器ユニット３７のスイッチ素子ＳＷ１を接地させ、前記スイッチ素子ＳＷ１をオフ状態にする。よって、電流が直接ダイオードＤ１を通して流れ、抵抗器Ｒ１と抵抗器Ｒ５との間の接続点は、第一基準電圧Ｖｒｅｆ１より大きい電圧信号を発生し、出力する。この時、ロックされた状態の前記ファンモーター３１のリセット電流は、低回転速度の公称値（ａｕｔｈｏｒｉｚｅｄ  ｖａｌｕｅ）であり、これにより前記駆動回路３２から発生される熱量が増加されず、前記ファンモーター３１のコイルの温度も上昇しない。よって、前記熱放散装置３０の使用寿命を効果的に保護することができる。
【００２２】
図４Ａと図４Ｂを参照すると、本実施例では、リセット電流低減回路であるリセット電流制御回路４６と、駆動回路４２と、ファンモーター４１と、を含む熱放散装置４０を提供する。前記駆動回路４２は、前記リセット電流制御回路４６と前記ファンモーター４１の間に接続される。
【００２３】
前記駆動回路４２は、主に駆動チップ４３と、速度レベル設定装置たる速度設定装置４４と、レベルコンパレータ４５と、から構成され、その機能は前述の実施例と同じであるため、ここでは説明を省く。
【００２４】
前記リセット電流制御回路４６は、温度制御ユニット４７とスイッチユニット４８から構成される。
【００２５】
本実施例では、前記温度制御ユニット４７は、温度変調信号を受け、それを電圧信号に変換して前記駆動回路４２に出力する。また、本実施例では、前記温度制御ユニット４７は主に、負温度係数のサーミスタ（ｔｈｅｒｍａｌ ｒｅｓｉｓｔｏｒ）ＮＴＣと抵抗器Ｒ１から構成され、前記スイッチユニット４８は主に、スイッチ素子ＳＷ１と複数の抵抗器Ｒ２〜Ｒ５から構成される。
【００２６】
上述のスイッチ素子ＳＷ１は、トランジスタ，またはトランジスタと同じ機能を有する素子により実施可能である。
【００２７】
本実施例の動作原理を以下説明する。ファンモーター４１が正常な状態で動作する時、前記スイッチユニット４８は、どんな信号も受けず、よって、前記スイッチユニット４８のスイッチ素子ＳＷ１は、オフ状態のままであり、温度制御ユニット４７に影響を与えることはない。よって、前記温度制御ユニットは、当該温度制御ユニット４７が温度を検出した後に発生された電圧信号を前記駆動回路４２に持続的に出力し、ファンモーター４１を正常に運転させ続けることができる。
【００２８】
前記ファンモーター４１がロックされた状態の時だけ、ファンモーター４１は警報信号ＲＤを前記スイッチユニット４８にフィードバックし、前記スイッチユニット４８のスイッチ素子ＳＷ１をオン状態にする。よって、前記抵抗器Ｒ１とサーミスタＮＴＣとの間の接続点とスイッチ素子ＳＷ１に同じ電位（ｅ.ｇ．前記スイッチ素子ＳＷ１がトランジスタである場合、この接続点はコレクタと同じ電位である）を持たせ、この接続点に第一基準電圧Ｖｒｅｆ１より大きい電圧信号を発生させる。この時、ロックされた状態の前記ファンモーター４１のリセット電流は、低回転速度の公称値（ａｕｔｈｏｒｉｚｅｄ  ｖａｌｕｅ）のままであり、これにより前記駆動回路４２から発生される熱量が増加されず、前記ファンモーター４１のコイルの温度も上昇しない。よって、前記熱放散装置４０の使用寿命を効果的に保護することができる。
【００２９】
以上、本発明の好適な実施例を例示したが、これは本発明を限定するものではなく、本発明の精神及び範囲を逸脱しない限りにおいては、当業者であれば行い得る様々な変更や同様の装置を付加することは可能である。従って、本発明が保護を請求する範囲は、特許請求の範囲を基準とする。
【図面の簡単な説明】
【００３０】
【図１Ａ】ＣＰＵに熱放散プロセスを行う時の従来の熱放散装置のブロック図である。
【図１Ｂ】図１Ａにおけるパルス幅変調信号のデューティーサイクルとファンモーターの回転速度との関係を示す特性曲線図である。
【図２Ａ】ＣＰＵに熱放散プロセスを行う時の別な従来の熱放散装置のブロック図である。
【図２Ｂ】図２Ａにおける温度制御回路によって検出された温度とファンモーターの回転速度との関係を示す特性曲線図である。
【図３Ａ】本発明の実施例１に基づく熱放散装置のブロック図である。
【図３Ｂ】図３Ａの熱放散装置における詳細回路図である。
【図４Ａ】本発明の実施例２に基づく熱放散装置のブロック図である。
【図４Ｂ】図４Ａの熱放散装置における詳細回路図である。
【図５】温度と電圧信号との関係を示す特性図であり、特に、異なる基準電圧区間での電圧信号の回転速度状態を表している。
【符号の説明】
【００３１】
１０，２０，３０，４０  熱放散装置
１２，２２，３１，４１  ファンモーター
１４，２４，３２，４２  駆動回路
１６  デジタルアナログ変換回路
１８  ＣＰＵ
２６  温度制御回路
３３，４３  駆動チップ
３４，４４  速度設定装置
３５，４５  レベルコンパレータ
３６，４６  リセット電流制御回路
３８，４８  スイッチユニット
４７  温度制御ユニット
Ｄ１  ダイオード
ＮＴＣ  サーミスタ
Ｒ１〜Ｒ８  抵抗器
Ｃ  コンデンサ
ＳＷ１，ＳＷ２  スイッチ素子
【図１Ａ】
2006280196.tif 000003
【図１Ｂ】
2006280196.tif 000004
【図２Ａ】
2006280196.tif 000005
【図２Ｂ】
2006280196.tif 000006
【図３Ａ】
2006280196.tif 000007
【図３Ｂ】
2006280196.tif 000008
【図４Ａ】
2006280196.tif 000009
【図４Ｂ】
2006280196.tif 000010
【図５】
2006280196.tif 000011